(57)【要約】【課題】三角形の薄い食品を十分に封止することができ、しかも簡単に開封して中身を取り出すことができる食品包装体を提供する。【解決手段】食品包装体１は、２枚のプラスチックシートを重ね合わせて形成した食品包装体であり、正方形の食品収容部２と、食品収容部２の上に設けられる封止部３を有し、食品収容部２の側辺５に沿って開封補助テープ１２が取り付けられていて、包装時には封止部３を複数回折り曲げて口部を十分に封止し、開封時には開封補助テープ１２に沿って簡単に切り開いて食品ｘを取り出すことができる。。【選択図】図１
0003197179.tif 000002
【実用新案登録請求の範囲】
【請求項１】
２枚のプラスチックシートを重ね合わせて形成した食品包装体であり、正方形の食品収容部と、食品収容部の上に設けられる封止部を有し、食品収容部の側辺に沿って開封補助テープが取り付けられている食品包装体。
【請求項２】
封止部は台形であり、食品収容部の上辺に重なる下辺と、下辺に平行で下辺より短い上辺と、下辺に垂直な第１側辺と、下辺に対して傾斜した第２側辺を有し、
第１側辺は食品収容部の開封補助テープが取り付けられている第１側辺と連続しており、第１側辺において２枚のプラスチックシートは接続されており、上辺と第２側辺では２枚のプラスチックシートは接続されていない請求項１に記載の食品包装体。
【考案の詳細な説明】
【技術分野】
【０００１】
この考案は、ホットサンドなど略三角形の食品を包装するためのプラスチックフィルム製の食品包装体に関する。
【背景技術】
【０００２】
特許文献１などには、プラスチックフィルム製の食品包装体が記載されている。このような食品包装体は２枚の概ね等脚台形状のプラスチックシートを溶着などによって接続し、袋体として形成される。平行な２辺のうち、短辺側が閉じられており、長辺側が開口している。この短辺の長さは、収納される食品の厚さに対応している。
【０００３】
食品の収納時には、食品の厚さ方向を食品包装体の短辺に合わせるように向けて入れる。そして、開口部側の余ったプラスチックフィルムを折り畳んで封をし、粘着テープなどで止める。このような食品包装体の多くには、食品の厚さ方向に沿った面状にカットテープなどの開封補助部材が設けられており、そこより開封することによって内部の食品を取り出せるようになっている。
【先行技術文献】
【特許文献】
【０００４】
【特許文献１】実開平７−４３４９号公開実用新案公報
【考案の概要】
【考案が解決しようとする課題】
【０００５】
特許文献１に記載のものなど従来の食品包装体は、三角柱状の食品の中でも主にサンドイッチなどに使用される。通常のサンドイッチでは、そのパンの部分は食パンと同じ厚みを持ち、また、一つの包装体に２〜３組のサンドイッチが入れられているので、全体としてかなりの厚さになる。しかし、近年になってコンビニエンスストアなどで提供されるようになったホットサンドは、三角形状の食品であっても、その厚さは小さい。このような薄い食品の包装体を特許文献１の包装体で作ろうとすると、極めて細長く非効率的なものになる。
【０００６】
また、コンビニエンスストアのホットサンドはそのまま食べれるほどには加熱されていない。客が購入したときに、店員がホットサンドを包装体から取出して再封的な加熱を行い、紙袋などの別の包装材に入れ直して提供する。包装するときには虫などの侵入を防ぐために口部を複数回折り曲げて十分に封止する必要があるが、再加熱前には簡単に開封できることが望まれる。
【０００７】
この考案は、三角形の薄い食品を十分に封止することができ、しかも簡単に開封して中身を取り出すことができる食品包装体を提供することを目的とする。
【課題を解決するための手段】
【０００８】
上述の課題を解決するため、この考案の食品包装体は、２枚のプラスチックシートを重ね合わせて形成した食品包装体であり、正方形の食品収容部と、食品収容部の上に設けられる封止部を有し、食品収容部の側辺に沿って開封補助テープが取り付けられている。さらに、封止部は台形であり、食品収容部の上辺に重なる下辺と、下辺に平行で下辺より短い上辺と、下辺に垂直な第１側辺と、下辺に対して傾斜した第２側辺を有し、第１側辺は食品収容部の開封補助テープが取り付けられている第１側辺と連続しており、第１側辺において２枚のプラスチックシートは接続されており、上辺と第２側辺では２枚のプラスチックシートは接続されていないことが好ましい。
【考案の効果】
【０００９】
この考案の食品包装体は、開封補助テープにより三角形の食品の側部に沿って広く開封でき、容易に中の食品を取り出すことができる。
【図面の簡単な説明】
【００１０】
【図１】食品包装体を示す平面図である。
【図２】食品包装体の使用状態を示す正面図である。
【図３】同背面図である。
【考案を実施するための形態】
【００１１】
この考案を実施するための形態について図面に基づいて説明する。図１は食品包装体を示す平面図である。この考案の食品包装体１は、２枚のプラスチックシートを重ね合わせて形成されている。食品包装体１は、食品収容部２と封止部３を有する。
【００１２】
食品収容部２は略正方形の形状である。この部分に二等辺直角三角形の食品ｘを収納する。食品収容部２の一辺の長さは食品ｘの等辺の長さと実質的に同じか、それより若干長い。第１側辺５および第２側辺６において２枚のプラスチックシートは溶断によって接続されている。また、底辺４において２枚のプラスチックシートは接続されている。一方、上辺７において２枚のプラスチックシートは接続されておらず、上部が開いた袋の形状となっている。
【００１３】
封止部３は食品収容部２の上辺７の上に設けられており、概ね台形の形状である。底辺８と上辺９が平行であり、上辺９の方が底辺８よりも短い。そして、封止部３の底辺８と食品収容部２の上辺７は重なっている。また、第１側辺１０は下辺に対して垂直であり、食品収容部２の第１側辺１０と連続した直線をなしている。一方、第２側辺１１は、食品収容部２の第２側辺６に対して傾斜している。そして、第１側辺１０においてのみ２枚のプラスチックシートは溶断によって接続されている。上辺９、底辺８および第２側辺１１おいて２枚のプラスチックシートは接続されていない。
【００１４】
以上、食品包装体１は全体として矩形であるが、片側の上隅部が斜めに切断された形状である。そして、封止部３の上辺８および第２側辺１０が開口部となり、ここより食品ｘを入れることができる。
【００１５】
この考案の食品包装体１には、食品収容部２の第１側辺５に沿って開封補助テープ１２が取り付けられている。開封補助テープ１２は第１側辺４のほぼ全長に渡って設けられているが、封止部３の第１側辺１０には設けられていない。
【００１６】
食品収容部２の下辺４の下には所定の幅で２枚のプラスチックシートが接続されている接続帯１３が設けられている。そして、この接続帯１３の中で開封補助テープ１２の下端部付近には開封開始のための切り込み１４が設けられている。
【００１７】
次に、この食品包装体１を使用した食品の包装方法について説明する。封止部３の上辺９および第２側辺１１を開き、食品ｘを食品収容部２に入れる。ここで、食品ｘは比較的厚みの小さい二等辺直角三角形のものである。例えば、ホットサンドのような加工食品が適している。このような調理パンは、そのまま食べられるほどに調理済みのものでもよい。また、加熱を完全には行わず、食べる直前に再度加熱するようなものでもよい。食品ｘの等辺の一つを食品収容部２の第１側辺５に沿うようにして入れる。
【００１８】
次に、封止部３を折り畳んで、封をする。本例では封止部３の第１側辺１０は食品収容部２の第１側辺５の６０〜７０％の長さを有し、封止部３は複数回の折り畳みができるだけの大きさを有する。例えば、図１の３つの折り曲げ線Ｌ１，Ｌ２，Ｌ３の順に３回折り畳む。図１において山折りとなるように折って、折り畳まれた封止部が開封補助テープが取り付けられていない側の面に重ねられる。そして、この折り畳まれた封止部を粘着テープなどによって固定する。図２は食品を包装した状態を示す正面図であり、図３は同背面図である。
【００１９】
食品包装体は３回の折り畳みにより、確実に封止される。したがって、粘着テープなどで固定するだけでも、虫などの異物が内部に進入するのを十分に防止することができる。この状態でコンビニエンスストアなどの小売店の陳列棚に陳列する。
【００２０】
開封は開封補助テープにより簡単に行える。この食品を購入する顧客が、食品の加熱を希望する場合、店員は切り欠き部１４より開封を開始し、開封補助テープに沿って第１側辺５の近くを切り開く。こうして開かれた第１側辺５よりトングで食品を掴んで取出す。これをオーブントースターや電子レンジなどの加熱装置により加熱し、食品ｘを別の包装材、たとえば紙袋などで包装して購入者に渡す。コンビニエンスストアなどの定員は商品の販売や管理、店内の清掃など多くの作業を担当し多忙であるが、本願の食品包装体であれば、開封および食品の取出しは、短時間で簡単に行うことができる。
【符号の説明】
【００２１】
１．食品包装体
２．食品収容部
３．封止部
４．底辺
５．第１側辺
６．第２側辺
７．上辺
８．底辺
９．上辺
１０．第１側辺
１１．第２側辺
１２．開封補助テープ
１３．接続帯
１４．切り込み
ｘ．食品
【図１】
0003197179.tif 000003
【図２】
0003197179.tif 000004
【図３】
0003197179.tif 000005